(57)【要約】【課題】超小型で貼り付けて使う端末装置を作る場合、スイッチを装着することが容易であり、また、装着された小さいスイッチを人間がオン／オフさせる操作が容易である端末装置を提供することを目的とするものである。【解決手段】所定の回路と、上記所定の回路に電力を供給する電源と、窓を具備する筐体と、上記窓から入射した光を受けて発電するフォトダイオードと、上記フォトダイオードがオンすると、オンまたはオフし、上記フォトダイオードがオフすると、オフまたはオンする半導体スイッチであって、上記所定の回路への上記電源からの電源供給を制御する半導体スイッチとを有する。【選択図】  図１
2004310570.tif 000002
【特許請求の範囲】
【請求項１】
所定の回路と；
上記所定の回路に電力を供給する電源と；
窓を具備する筐体と；
上記窓から入射した光を受けて発電するフォトダイオードと；
上記フォトダイオードがオンすると、オンまたはオフし、上記フォトダイオードがオフすると、オフまたはオンする半導体スイッチであって、上記所定の回路への上記電源からの電力供給を制御する半導体スイッチと；
を有することを特徴とする端末装置。
【請求項２】
所定の回路と；
上記所定の回路に電力を供給する電源と；
磁気センサと；
上記磁気センサが動作すると、オンまたはオフし、上記磁気センサが動作しないと、オフまたはオンする半導体スイッチであって、上記所定の回路への上記電源からの電力供給を制御する半導体スイッチと；
を有することを特徴とする端末装置。
【請求項３】
所定の筐体と；
所定の回路と；
上記所定の回路に電力を供給する電源と；
上記筐体から突出している押ボタンを具備し、上記電源と上記所定の回路との間に接続されている押ボタンスイッチと；
を有することを特徴とする端末装置。
【請求項４】
請求項１において、
上記フォトダイオードと、上記フォトダイオード以外の回路とを仕切る仕切り部材を有することを特徴とする端末装置。
【請求項５】
請求項１において、
上記フォトダイオードとして、第１のフォトダイオードと第２のフォトダイオードとを具備し、
上記窓として、上記第１のフォトダイオード用の窓と、上記第２のフォトダイオード用の窓とを具備し、上記第１のフォトダイオード用の窓と、上記第２のフォトダイオード用の窓とは、上記筐体の互いに異なる面に設けられ、
上記第１のフォトダイオードと上記第２のフォトダイオードとを仕切る仕切り部材が設けられていることを特徴とする端末装置。
【請求項６】
請求項１〜請求項５のいずれか１項において、
上記所定の回路は、所定の物理現象を検出するセンサと、上記センサが出力した信号を送信する送信回路とを具備する回路であることを特徴とする端末装置。
【発明の詳細な説明】
【０００１】
【発明の属する技術分野】
本発明は、端末装置に関する。
【０００２】
【従来の技術】
図１０は、従来例の端末装置Ｔ１１を示すブロック図である。
【０００３】
従来例の端末装置Ｔ１１は、センサと通信回路とを具備し、通信端末として使用され、装置全体が超小型であり、これを壁等に貼り付けて使う端末装置であり、スライドスイッチＳＷ１１が設けられ、このスライドスイッチＳＷ１１をオンすることによって、端末装置Ｔ１１内の電源ＰＳ１１の電力が回路Ｃ１１に供給される（たとえば、特許文献１、特許文献２参照）。
【０００４】
【特許文献１】
特開平１１−１５４８９９号公報
【特許文献２】
特開２００２−３１８６４０号公報
【０００５】
【発明が解決しようとする課題】
超小型で貼り付けて使う端末装置Ｔ１１では、体積をたとえば５ｍｍ立方等のように、極めて小さなサイズにすることが必要とされる。
【０００６】
しかし、上記従来例では、超小型で貼り付けて使う端末装置を作る場合、スイッチを装着することが体積的に困難であり、また、装着できる程度に小さいスイッチを製造することができたとしても、人間がその指を使用して、そのスイッチを操作することは、極めて困難であり、使い勝手が悪いという問題がある。
【０００７】
つまり、端末装置Ｔ１１を使用しないときには電源をオフし、使用するときにのみオンすることによって、携帯端末としての端末装置Ｔ１１のバッテリを延命することができる。通常、端末装置の電源をオン／オフするには、機械的なスイッチを使用するが、端末装置全体のサイズが極めて小さい場合、オン／オフを実際に人間が操作することが極めて難しいという問題がある。
【０００８】
本発明は、超小型で貼り付けて使う端末装置を作る場合、スイッチを装着することが容易であり、また、装着された小さいスイッチを人間がオン／オフさせる操作が容易である端末装置を提供することを目的とするものである。
【０００９】
【課題を解決するための手段】
本発明は、所定の回路と、上記所定の回路に電力を供給する電源と、窓を具備する筐体と、上記窓から入射した光を受けて発電するフォトダイオードと、上記フォトダイオードがオンすると、オンまたはオフし、上記フォトダイオードがオフすると、オフまたはオンする半導体スイッチであって、上記所定の回路への上記電源からの電力供給を制御する半導体スイッチとを有することを特徴とする端末装置である。
【００１０】
【発明の実施の形態および実施例】
図１は、本発明の第１の実施例である端末装置Ｔ１を示す図である。
【００１１】
端末装置Ｔ１は、筐体ＣＳ１と、所定の回路Ｃ１と、電源ＰＳ１と、フォトダイオードＰＤ１と、半導体スイッチＳＷ１とを有する。
【００１２】
回路Ｃ１は、たとえば、センサと、送信回路とを有する。
【００１３】
上記センサは、環境の物理現象を検出するセンサであり、温度、湿度、音、振動等の物理現象を検出するセンサである。上記送信回路は、上記センサが出力した信号を無線送信する送信回路である。
【００１４】
電源ＰＳ１は、回路Ｃ１の電源である。
【００１５】
筐体ＣＳ１は、窓ＷＤ１を有する筐体であり、この窓ＷＤ１は、端末装置Ｔ１を壁ＷＬ１等に貼り付けたときに閉じられる開口である。
【００１６】
フォトダイオードＰＤ１は、窓ＷＤ１から入射した光を受けて発電するフォトダイオードである。
【００１７】
半導体スイッチＳＷ１は、フォトダイオードＰＤ１がオンしたときにオンし、電源ＰＳ１の電力を回路Ｃ１に供給するスイッチである。
【００１８】
つまり、端末装置Ｔ１は、所定の回路Ｃ１と、回路Ｃ１に電力を供給する電源ＰＳ１と、窓ＷＤ１を具備する筐体ＣＳ１と、窓ＷＤ１から入射した光を受けて発電するフォトダイオードＰＤ１と、フォトダイオードＰＤ１がオンしたときにオフし、フォトダイオードＰＤ１がオフしたときにオンすることによって、電源ＰＳ１から回路Ｃ１への電力供給を制御する半導体スイッチＳＷ１とを有する。
【００１９】
次に、上記実施例の動作について説明する。
【００２０】
端末装置Ｔ１を壁ＷＬ１に貼らない場合、図１に示すように、筐体ＣＳ１の窓ＷＤ１から光が入射され、フォトダイオードＰＤ１が発電し、半導体スイッチＳＷ１がオフし、回路Ｃ１がオフする。
【００２１】
図２は、第１の実施例において、端末装置Ｔ１を壁ＷＬ１に貼り付けた状態を示す図である。
【００２２】
図２に示すように、端末装置Ｔ１を壁ＷＬ１に貼ると、窓ＷＤ１が壁ＷＬ１によって閉じられるので、外光が筐体ＣＳ１内に入らず、フォトダイオードＰＤ１が発電せず、半導体スイッチＳＷ１がオンされ、回路Ｃ１がオンする。
【００２３】
つまり、端末装置Ｔ１を、壁ＷＬ１に貼ったときにだけ使用することができるように、貼った状態、貼らない状態に応じて、センサ（フォトダイオードＰＤ１）の動作状態を変え、すなわち、端末装置Ｔ１を壁ＷＬ１に貼ったときにだけ、半導体スイッチがオンし、回路Ｃ１に電力が供給され、回路Ｃ１が動作する。
【００２４】
したがって、端末装置Ｔ１は、それを使用しようとする場合に、ユーザが端末装置Ｔ１を壁ＷＬ１等に貼り付けさえすればよく、電力供給を制御するスイッチＳＷ１をユーザが直接オンする必要がないので、操作性に優れ、しかも、端末装置Ｔ１を使用しないときに電力が供給されないので、端末装置Ｔ１の消費電力を低くすることができる。
【００２５】
なお、上記実施例とは逆の動作をするようにしてもよい。つまり、半導体スイッチＳＷ１は、フォトダイオードＰＤ１がオンしたときにオンし、フォトダイオードＰＤ１がオフしたときにオフするようにしてもよくこれによって、電源ＰＳ１の電力を回路Ｃ１に供給する制御を行なうようにしてもよい。
【００２６】
つまり、端末装置Ｔ１によれば、超小型で貼り付けて使う端末装置を作る場合、スイッチを装着することが容易であり、また、装着された小さいスイッチを人間がオン／オフさせる操作が容易である。
【００２７】
図３は、本発明の第２の実施例である端末装置Ｔ２を示す図であり、端末装置Ｔ２が壁ＷＬ２に接触していない状態を示す図である。
【００２８】
端末装置Ｔ２は、磁気センサＳＥ２と、所定の回路Ｃ２と、半導体スイッチＳＷ２と、電源ＰＳ２とを有する。また、壁ＷＬ２には、磁石ＭＧ２が埋め込まれている。
【００２９】
磁気センサＳＥ２は、磁気を検出すると、半導体スイッチＳＷ２をオフさせるセンサである。半導体スイッチＳＷ２は、オンすると、電源ＰＳ２の電力を回路Ｃ２に供給するように制御するスイッチである。
【００３０】
次に、端末装置Ｔ２の動作について説明する。
【００３１】
まず、壁ＷＬ２から端末装置Ｔ２を剥離すると、図３に示すように、磁気センサＳＥ２がオンし、半導体スイッチＳＷ２がオンし、回路Ｃ２がオンする。
【００３２】
図４は、端末装置Ｔ２が壁ＷＬ２に貼り付けられている状態を示す図である。
【００３３】
壁ＷＬ２に端末装置Ｔ２を貼り付けると、図４に示すように、磁気センサＳＥ２がオフし、半導体スイッチＳＷ２がオフし、回路Ｃ２がオフする。
【００３４】
端末装置Ｔ２によれば、超小型で貼り付けて使う端末装置を作る場合、スイッチを装着することが容易である。また、磁石が設けられている位置に、端末装置Ｔ２を移動するだけで、端末装置Ｔ２に装着されているスイッチＳＷ２をオフさせることができ、磁石が設けられている位置から、端末装置Ｔ２を離すだけで、端末装置Ｔ２に装着されているスイッチＳＷ２をオンさせることでき、したがって、端末装置Ｔ２に装着されているスイッチＳＷ２が小さくても、それを人間がオン／オフさせる操作が容易である。
【００３５】
また、端末装置Ｔ２とは逆に、壁ＷＬ２から端末装置Ｔ２を剥離すると、磁気センサＳＥ２がオフし、半導体スイッチＳＷ２がオフし、回路Ｃ２がオフし、一方、壁ＷＬ２に端末装置Ｔ２を貼り付けると、磁気センサＳＥ２がオンし、半導体スイッチＳＷ２がオンし、回路Ｃ２がオンするようにしてもよい。
【００３６】
図５は、本発明の第３の実施例である端末装置Ｔ３を示す図である。
【００３７】
端末装置Ｔ３は、筐体ＣＳ３と、回路Ｃ３と、回路Ｃ３に電力を供給する電源ＰＳ３と、押ボタンスイッチＳＷ３とを有する。
【００３８】
押ボタンスイッチＳＷ３は、筐体ＣＳ３から突出している押ボタンＢを具備し、電源ＰＳ３と回路Ｃ３との間に接続されているスイッチである。
【００３９】
押ボタンスイッチＳＷ３は、見方を変えれば力学的センサであり、単体としては、電気信号を作り出さないが、しかし、電源ＰＳ３と回路Ｃ３とを組み込むと、電気的信号を作り出す。
【００４０】
端末装置Ｔ３によれば、壁等に端末装置Ｔ３を押し付けるだけで、端末装置Ｔ３に装着されている押ボタンスイッチＳＷ３をオンさせることができ、壁等から、端末装置Ｔ３を離すだけで、端末装置Ｔ３に装着されている押ボタンスイッチＳＷ３をオフさせることでき、したがって、端末装置Ｔ３に装着されている押ボタンスイッチＳＷ３が小さくても、それを人間がオン／オフさせる操作が容易である。
【００４１】
なお、端末装置Ｔ３とは逆の動作をするようにしてもよい。つまり、押ボタンスイッチＳＷ３は、壁等で押されると、オフし、押ボタンスイッチＳＷ３が押されていないと、オンすることによって、回路Ｃ３への供給電力を制御するようにしてもよい。
【００４２】
図６は、本発明の第４の実施例である端末装置Ｔ４を示す図である。
【００４３】
端末装置Ｔ４は、筐体ＣＳ４と、所定の回路Ｃ４と、電源ＰＳ４と、フォトダイオードＰＤ４１、ＰＤ４２と、半導体スイッチＳＷ４１、ＳＷ４２と、窓ＷＤ４１、ＷＤ４２と、仕切り板Ｂ４とを有する。
【００４４】
電源ＰＳ４は、回路Ｃ４の電源である。
【００４５】
筐体ＣＳ４において、窓ＷＤ４１が設けられている面と、窓ＷＤ４２が設けられている面とは、互いに対向している。なお、筐体ＣＳ４において、窓ＷＤ４１が設けられている面と、窓ＷＤ４２が設けられている面とは、同じ面でなければよく、つまり、窓ＷＤ４１と窓ＷＤ４２とは、筐体ＣＳ４の互いに異なる面に設けられていればよい。また、窓ＷＤ４１、ＷＤ４２は、端末装置Ｔ４を壁ＷＬ４等に貼り付けたときに閉じられる開口である。
【００４６】
フォトダイオードＰＤ４１は、窓ＷＤ４１から入射した光を受けて発電するフォトダイオードであり、フォトダイオードＰＤ４２は、窓ＷＤ４２から入射した光を受けて発電するフォトダイオードである。
【００４７】
半導体スイッチＳＷ４１は、フォトダイオードＰＤ４１がオフしたときにオンし（スイッチＳＷ４１の可動接点が、図６中、右の固定接点に切り換わり）、半導体スイッチＳＷ４２は、フォトダイオードＰＤ４２がオンしたときにオンし（スイッチＳＷ４２の可動接点が、図６中、右の固定接点に切り換わり）、電源ＰＳ４の電力を回路Ｃ４に供給するスイッチである。
【００４８】
つまり、フォトダイオードＰＤ４１は、端末装置Ｔ４が壁ＷＬ４等に貼り付けられているか否かを検出するセンサであり、フォトダイオードＰＤ４２は、端末装置Ｔ４の周囲が明るいか否かを検出するセンサである。
【００４９】
なお、フォトダイオードＰＤ４１は、端末装置Ｔ４の周囲が明るいか否かを検出するセンサであり、フォトダイオードＰＤ４２は、端末装置Ｔ４が壁ＷＬ４等に貼り付けられているか否かを検出するセンサであると考えてもよい。
【００５０】
次に、端末装置Ｔ４の動作について説明する。
【００５１】
前提として、端末装置Ｔ４の周囲がある程度明るい場合を想定する。したがって、フォトダイオードＰＤ４２が周囲からの光を検出し、半導体スイッチＳＷ４２がオンしている。
【００５２】
この場合、端末装置Ｔ４が壁ＷＬ４に貼り付けられていなければ、図６に示すように、フォトダイオードＰＤ４２が外光を検出し、スイッチＳＷ４２がオンするが、フォトダイオードＰＤ４１が光を検出しているので、スイッチＳＷ４１がオフし、電源ＰＳ４からの電力が回路Ｃ４には供給されない。
【００５３】
図７は、端末装置Ｔ４が壁ＷＬ４に貼り付けられた場合を示す図である。
【００５４】
端末装置Ｔ４が壁ＷＬ４に貼り付けられていると、フォトダイオードＰＤ４２が光を検出し、スイッチＳＥ４２がオンし、しかも、フォトダイオードＰＤ４１が光を検出していないので、スイッチＳＷ４１がオンし、電源ＰＳ４からの電力が回路Ｃ４には供給される。
【００５５】
つまり、スイッチＳＷ４１とスイッチＳＷ４２とによって、ＡＮＤ条件を形成している。すなわち、端末装置Ｔ４の周囲が明るくし、しかも、端末装置Ｔ４を壁ＷＬ４等に貼り付けている場合にのみ、回路Ｃ４に電力を供給するように制御している。
【００５６】
なお、端末装置Ｔ４とは逆の動作をするようにしてもよい。つまり、端末装置Ｔ４を壁ＷＬ等から離した場合に、スイッチＳＷ４１がオンするようにしてもよく、また、端末装置の周囲が暗いときに、スイッチＳＷ４２がオンするように構成してもよい。
【００５７】
つまり、端末装置Ｔ４は、第１のフォトダイオードと第２のフォトダイオードとを具備し、第１のフォトダイオード用の窓と、第２のフォトダイオード用の窓とを具備し、上記第１のフォトダイオード用の窓と、上記第２のフォトダイオード用の窓とは、上記筐体の互いに異なる面に設けられ、上記第１のフォトダイオードと上記第２のフォトダイオードとを仕切る仕切り部材が設けられている。
【００５８】
図８は、本発明の第５の実施例である端末装置Ｔ５を示す図である。
【００５９】
端末装置Ｔ５は、端末装置Ｔ１において、仕切り板Ｂ５を設けた装置である。
【００６０】
仕切り板Ｂ５は、フォトダイオードＰＤ１と、フォトダイオードＰＤ１以外の回路とを仕切る仕切り部材の例である。つまり、窓ＷＤ１からの光以外の光をフォトダイオードＰＤ１が検出しないように、フォトダイオードＰＤ１を隔離している。すなわち、端末装置Ｔ５が壁ＷＬ１に貼り付けられているか否かをフォトダイオードＰＤ１により検出する場合、外来光（ノイズ）の影響を阻止するために、仕切り板Ｂ５が設けられている。
【００６１】
図９は、端末装置Ｔ２の動作説明図である。
【００６２】
端末装置Ｔ２には、磁気センサＳＥ２が設けられ、この磁気センサＳＥ２は磁気を検出するセンサである。壁ＷＬ２に設けられている磁石ＭＧ２が磁束を発生し、磁気センサＳＥ２が磁気を検出することができる領域Ａ内に、磁気センサＳＥ２が存在すれば、端末装置Ｔ２が壁ＷＬ２に貼り付けられていなくても、回路Ｃ２に電力が供給される。
【００６３】
すなわち、端末装置Ｔ２が磁気を検出することができる領域を、指定することができる。
【００６４】
なお、回路Ｃ２、３、４、５は、回路Ｃ１と同様に、所定の回路であり、たとえば、センサと、送信回路とを有し、上記センサは、環境の物理現象を検出するセンサであり、温度、湿度、音、振動等の物理現象を検出するセンサである。上記送信回路は、上記センサが出力した信号を無線送信する送信回路である。
【００６５】
上記実施例によれば、ユーザが直接操作するスイッチが存在せず、端末装置を所定の場所に移動するだけで、スイッチ操作したことと同じ動作を実行するので、操作性が向上し、低電力化を実現することができる。
【００６６】
【発明の効果】
本発明によれば、超小型で貼り付けて使う端末装置を作る場合、スイッチを装着することが容易であり、また、装着された小さいスイッチをオン／オフする操作することが容易であるという効果を奏する。
【図面の簡単な説明】
【図１】本発明の第１の実施例である端末装置Ｔ１を示す図である。
【図２】第１の実施例において、端末装置Ｔ１を壁ＷＬ１に貼り付けた状態を示す図である。
【図３】本発明の第２の実施例である端末装置Ｔ２を示す図であり、端末装置Ｔ２が壁ＷＬ２に接触していない状態を示す図である。
【図４】端末装置Ｔ２が壁ＷＬ２に貼り付けられている状態を示す図である。
【図５】本発明の第３の実施例である端末装置Ｔ３を示す図である。
【図６】本発明の第４の実施例である端末装置Ｔ４を示す図である。
【図７】端末装置Ｔ４が壁ＷＬ４に貼り付けられた場合を示す図である。
【図８】本発明の第５の実施例である端末装置Ｔ５を示す図である。
【図９】端末装置Ｔ２の動作説明図である。
【図１０】従来例の端末装置Ｔ１１を示すブロック図である。
【符号の説明】
Ｔ１〜Ｔ５…端末装置、
ＣＳ１〜ＣＳ４…筐体、
ＳＷ１〜ＳＷ３、Ｗ４１、ＳＷ４２…スイッチ、
Ｃ１〜Ｃ４…回路、
ＰＤ１〜ＰＤ３、ＰＤ４１、ＰＤ４２…フォトダイオード。
【図１】
2004310570.tif 000003
【図２】
2004310570.tif 000004
【図３】
2004310570.tif 000005
【図４】
2004310570.tif 000006
【図５】
2004310570.tif 000007
【図６】
2004310570.tif 000008
【図７】
2004310570.tif 000009
【図８】
2004310570.tif 000010
【図９】
2004310570.tif 000011
【図１０】
2004310570.tif 000012